(57)【特許請求の範囲】
【請求項１】
ウェブページ情報を表示するためのウェブページデータを取得する通信手段と、
前記ウェブページデータにより得られるウェブページ情報から別のウェブページ情報を示すリンク情報を検索し、当該リンク情報に対応する表示データが表示される位置の座標を算出する座標算出手段と、
前記リンク情報に対し、対応する表示データの座標の位置が、予め定められた基準座標の位置に近いほど高い順位となるように、順位を付与する順位付与手段と、
予め用意された入力手段に入力される１以上の文字からなる記号が入力しやすい順に複数記憶される記号記憶手段と、
前記リンク情報と前記記号記憶手段に記憶された記号とが対応づけて記憶されるマップ記憶手段と、
前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、
前記記号を付与された表示データを含む前記ウェブページ情報を予め用意された表示手段に表示させる表示制御手段と、
前記ウェブページ情報が表示された際に前記入力手段に入力された記号を示す信号を受信する信号受信手段と、
前記マップ記憶手段から、当該信号により示される記号に対応づけられたリンク情報を読み出し、当該リンク情報に対応するウェブページ情報を表示するためのウェブページデータを取得するように、前記通信手段を制御する信号処理手段と
を備えることを特徴とするウェブページ表示制御装置。
【請求項２】
前記ウェブページ情報がスクロールされた際に当該スクロールの方向を示す情報が記憶されるスクロール方向記憶手段を備え、
前記順位付与手段は、順位を付与する際に、前記スクロール方向記憶手段から情報を読み出し、前記基準座標の位置が、当該情報により示されるスクロールの方向に移動するように、当該基準座標を変更する
ことを特徴とする請求項１記載のウェブページ表示制御装置。
【請求項３】
前記記号付与手段は、同一のリンク情報が複数ある場合は、最高の順位を付与されたリンク情報に付与される同一の記号を当該各リンク情報に付与し、各リンク情報と当該同一の記号を対応づけて、前記マップ記憶手段に記憶させる
ことを特徴とする請求項１または２記載のウェブページ表示制御装置。
【請求項４】
前記表示手段における表示領域を区分してなる各部分表示領域が当該表示領域のどの部分を占めるかを示す部分表示領域位置情報を記憶した部分表示領域位置情報記憶手段と、  前記部分表示領域位置情報記憶手段から読み出した各部分表示領域位置情報に基づいて、前記リンク情報に対応する表示データの座標の位置がどの部分表示領域に含まれるかを求め、求められた部分表示領域を示す部分表示領域識別情報を当該リンク情報に付与する部分表示領域識別情報付与手段とを備え、
前記記号記憶手段は、前記各部分表示領域識別情報に対応づけて記号が入力しやすい順に複数記憶されるものであり、
前記順位付与手段は、同一の部分表示領域識別情報を付与された複数のリンク情報のそれぞれに対し、対応する表示データの座標の位置が前記基準座標の位置に近いほど当該複数のリンク情報の中で高い順位となるように、順位を付与するものであり、
前記記号付与手段は、記号を付与しようとするリンク情報に付与された部分表示領域識別情報に対応づけられた記号を前記記号記憶手段から読み出し、当該リンク情報の順位が高いほど入力しやすい記号となるように前記リンク情報に対応する表示データに当該記号を付与するとともに、当該リンク情報と当該記号とを対応づけて、前記マップ記憶手段に記憶させるものである
ことを特徴とする請求項１ないし３のいずれかに記載のウェブページ表示制御装置。
【請求項５】
ウェブページ情報を表示するためのウェブページ表示制御装置が行うウェブページ表示制御方法であって、
前記ウェブページ表示制御装置に構成された通信手段が、ウェブページ情報を表示するためのウェブページデータを取得するステップと、
前記ウェブページ表示制御装置に構成された座標算出手段が、前記ウェブページデータにより得られるウェブページ情報から別のウェブページ情報を示すリンク情報を検索し、当該リンク情報に対応する表示データが表示される位置の座標を算出するステップと、
前記ウェブページ表示制御装置に構成された順位付与手段が、前記リンク情報に対し、対応する表示データの座標の位置が、予め定められた基準座標の位置に近いほど高い順位となるように、順位を付与するステップと、
前記ウェブページ表示制御装置に構成された記号付与手段が、前記ウェブページ表示制御装置に構成された記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記ウェブページ表示制御装置に構成されたマップ記憶手段に記憶させるステップと、
前記ウェブページ表示制御装置に構成された表示制御手段が、前記記号を付与された表示データを含む前記ウェブページ情報を予め用意された表示手段に表示させるステップと、
前記ウェブページ表示制御装置に構成された信号受信手段が、前記ウェブページ情報が表示された際に前記入力手段に入力された記号を示す信号を受信するステップと、
前記ウェブページ表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するステップと
を含むことを特徴とするウェブページ表示制御方法。
【請求項６】
前記信号処理手段が、前記ウェブページ情報がスクロールされた際に当該スクロールの方向を示す情報を、前記ウェブページ表示制御装置に構成されたスクロール方向記憶手段に記憶させるステップと、
前記順位付与手段が、順位を付与する際に、前記スクロール方向記憶手段から情報を読み出し、前記基準座標の位置が、当該情報により示されるスクロールの方向に移動するように、当該基準座標を変更するステップと
を含む特徴とする請求項５記載のウェブページ表示制御方法。
【請求項７】
前記記号付与手段は、同一のリンク情報が複数ある場合は、最高の順位を付与されたリンク情報に付与される同一の記号を当該各リンク情報に付与し、各リンク情報と当該同一の記号を対応づけて、前記マップ記憶手段に記憶させる
ことを特徴とする請求項５または６記載のウェブページ表示制御方法。
【請求項８】
前記ウェブページ表示制御装置は、前記表示手段における表示領域を区分してなる各部分表示領域が当該表示領域のどの部分を占めるかを示す部分表示領域位置情報を記憶した部分表示領域位置情報記憶手段を備え、
前記記号記憶手段は、前記各部分表示領域識別情報に対応づけて記号が入力しやすい順に複数記憶されるものであり、
前記ウェブページ表示制御方法は、前記ウェブページ表示制御装置に設けられた部分表示領域識別情報付与手段が、前記部分表示領域位置情報記憶手段から読み出した各部分表示領域位置情報に基づいて、前記リンク情報に対応する表示データの座標の位置がどの部分表示領域に含まれるかを求め、求められた部分表示領域を示す部分表示領域識別情報を当該リンク情報に付与するステップを含み、
前記順位付与手段は、同一の部分表示領域識別情報を付与された複数のリンク情報のそれぞれに対し、対応する表示データの座標の位置が前記基準座標の位置に近いほど当該複数のリンク情報の中で高い順位となるように、順位を付与し、
前記記号付与手段は、記号を付与しようとするリンク情報に付与された部分表示領域識別情報に対応づけられた記号を前記記号記憶手段から読み出し、当該リンク情報の順位が高いほど入力しやすい記号となるように前記リンク情報に対応する表示データに当該記号を付与するとともに、当該リンク情報と当該記号とを対応づけて、前記マップ記憶手段に記憶させる
ことを特徴とする請求項５ないし７のいずれかに記載のウェブページ表示制御方法。
【請求項９】
請求項１ないし４のいずれかに記載のウェブページ表示制御装置をコンピュータで構成するためのコンピュータプログラム。
【請求項１０】
請求項９記載のコンピュータプログラムが格納されたコンピュータ読み取り可能な記録媒体。
【発明の詳細な説明】
【技術分野】
【０００１】
本発明は、ウェブページ情報表示装置および方法に関するものである。
【背景技術】
【０００２】
近年、インターネットに接続する機能がゲーム機やテレビ装置などに搭載され、これらの装置により、いわゆるウェブサイト／ウェブページを閲覧／ブラウジングできるようになってきた。つまり、これらの装置が、ウェブサイトに記憶されたデータにより得られる情報（ウェブページ情報という）を表示できるようになってきた。
【０００３】
パーソナルコンピュータは卓上に設置されるので、マウスなどのポインティングデバイスを利用して、ウェブサイトを自由に閲覧できるが、テレビ装置は離れた場所から見ることが多いので、テレビ装置にマウスなどを接続し、近くで閲覧の操作を行うことに馴染みがない。
【０００４】
そのため、加速度センサ等を搭載し、離れた場所で空中に持ち上げて使用できるポインティングデバイス、またはいわゆるリモコンを用いる方法が考案されてきた。この方法は、いわゆるリンク先に対応する表示データが画面に表示され、表示データへのフォーカスを上下左右のカーソルキーを用いて移動する方法である。
【０００５】
また、ウェブページのブラウジングに必要なクリック操作を低減するために、シナリオを用いる方法も考案されている（特許文献１参照）。
【特許文献１】特開２０００−００３３６９号公報
【発明の開示】
【発明が解決しようとする課題】
【０００６】
図２２は、ウェブページ情報の表示例を示す図である。例えば、ニュースの一覧を示すウェブページ情報が表示された際には、ニュースヘッドラインや各ジャンルへのリンクに対応する表示データが多数表示される。図２２は、単に区別できるように、特段の意味を有しない表示データ「リンクＢ」、「リンクＣ」、「リンクＤ」、「リンクＩ」、「リンクＪ」、「リンクＫ」、「リンクＬ」が表示されている様子を示している。
【０００７】
図２２のように表示された１つの表示データの位置にあるフォーカスは、例えば、リモコンで押下されたカーソルキーに対応する方向で最も近い表示データに移動する
そのため、フォーカスを離れた表示データへ移動させるには、カーソルキーを多数回押下しなければならない。
【０００８】
また、表示データが整然と並んでいる場合は、フォーカスがどの表示データに移動するかを予測できるが、そうでない場合は、フォーカスの移動先を実際に確認することが必要であり、その確認が煩わしいという問題があった。
【０００９】
一方、空中に持ち上げて使用できるポインティングデバイスを使用すると、ポインティングデバイスを移動させることにより、フォーカスを離れた表示データへ直接移動させることができるが、表示データの表示領域が小さい場合は、ポインティングデバイスの位置がずれると、その表示データからフォーカスが移動してしまう場合があった。
【００１０】
また、特許文献１に開示されている方法では、表示データ間でフォーカスを移動させるのが困難であった。
【００１１】
したがって、従来にあっては、リンク先のウェブページ情報を表示させるのが困難であった。その結果、あるウェブページ情報の要求される程度が高いにも拘わらず、そのウェブページ情報を表示させるのが困難であった。  
本発明は、上記の課題に鑑みてなされたものであり、その目的とするところは、要求される程度の高いリンク先のウェブページ情報を表示しやすくできるウェブページ情報表示制御装置および方法を提供することにある。
【課題を解決するための手段】
【００１２】
上記の課題を解決するために、請求項１の本発明は、ウェブページ情報を表示するためのウェブページデータを取得する通信手段と、前記ウェブページデータにより得られるウェブページ情報から別のウェブページ情報を示すリンク情報を検索し、当該リンク情報に対応する表示データが表示される位置の座標を算出する座標算出手段と、前記リンク情報に対し、対応する表示データの座標の位置が、予め定められた基準座標の位置に近いほど高い順位となるように、順位を付与する順位付与手段と、予め用意された入力手段に入力される１以上の文字からなる記号が入力しやすい順に複数記憶される記号記憶手段と、前記リンク情報と前記記号記憶手段に記憶された記号とが対応づけて記憶されるマップ記憶手段と、前記記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記マップ記憶手段に記憶させる記号付与手段と、前記記号を付与された表示データを含む前記ウェブページ情報を予め用意された表示手段に表示させる表示制御手段と、前記ウェブページ情報が表示された際に前記入力手段に入力された記号を示す信号を受信する信号受信手段と、前記マップ記憶手段から、当該信号により示される記号に対応づけられたリンク情報を読み出し、当該リンク情報に対応するウェブページ情報を表示するためのウェブページデータを取得するように、前記通信手段を制御する信号処理手段とを備えることを特徴とするウェブページ表示制御装置をもって解決手段とする。
【００１３】
請求項２の本発明は、前記ウェブページ情報がスクロールされた際に当該スクロールの方向を示す情報が記憶されるスクロール方向記憶手段を備え、前記順位付与手段は、順位を付与する際に、前記スクロール方向記憶手段から情報を読み出し、前記基準座標の位置が、当該情報により示されるスクロールの方向に移動するように、当該基準座標を変更することを特徴とする請求項１記載のウェブページ表示制御装置をもって解決手段とする。
【００１４】
請求項３の本発明は、前記記号付与手段は、同一のリンク情報が複数ある場合は、最高の順位を付与されたリンク情報に付与される同一の記号を当該各リンク情報に付与し、各リンク情報と当該同一の記号を対応づけて、前記マップ記憶手段に記憶させることを特徴とする請求項１または２記載のウェブページ表示制御装置をもって解決手段とする。
【００１５】
請求項４の本発明は、前記表示手段における表示領域を区分してなる各部分表示領域が当該表示領域のどの部分を占めるかを示す部分表示領域位置情報を記憶した部分表示領域位置情報記憶手段と、前記部分表示領域位置情報記憶手段から読み出した各部分表示領域位置情報に基づいて、前記リンク情報に対応する表示データの座標の位置がどの部分表示領域に含まれるかを求め、求められた部分表示領域を示す部分表示領域識別情報を当該リンク情報に付与する部分表示領域識別情報付与手段とを備え、前記記号記憶手段は、前記各部分表示領域識別情報に対応づけて記号が入力しやすい順に複数記憶されるものであり、前記順位付与手段は、同一の部分表示領域識別情報を付与された複数のリンク情報のそれぞれに対し、対応する表示データの座標の位置が前記基準座標の位置に近いほど当該複数のリンク情報の中で高い順位となるように、順位を付与するものであり、前記記号付与手段は、記号を付与しようとするリンク情報に付与された部分表示領域識別情報に対応づけられた記号を前記記号記憶手段から読み出し、当該リンク情報の順位が高いほど入力しやすい記号となるように前記リンク情報に対応する表示データに当該記号を付与するとともに、当該リンク情報と当該記号とを対応づけて、前記マップ記憶手段に記憶させるものであることを特徴とする請求項１ないし３のいずれかに記載のウェブページ表示制御装置をもって解決手段とする。
【００１６】
請求項５の本発明は、ウェブページ情報を表示するためのウェブページ表示制御装置が行うウェブページ表示制御方法であって、前記ウェブページ表示制御装置に構成された通信手段が、ウェブページ情報を表示するためのウェブページデータを取得するステップと、前記ウェブページ表示制御装置に構成された座標算出手段が、前記ウェブページデータにより得られるウェブページ情報から別のウェブページ情報を示すリンク情報を検索し、当該リンク情報に対応する表示データが表示される位置の座標を算出するステップと、前記ウェブページ表示制御装置に構成された順位付与手段が、前記リンク情報に対し、対応する表示データの座標の位置が、予め定められた基準座標の位置に近いほど高い順位となるように、順位を付与するステップと、前記ウェブページ表示制御装置に構成された記号付与手段が、前記ウェブページ表示制御装置に構成された記号記憶手段から記号を読み出し、前記リンク情報の順位が高いほど入力しやすい記号となるように前記リンク情報に対応する表示データに当該記号を付与するとともに、当該リンク情報と当該記号とを対応づけて、前記ウェブページ表示制御装置に構成されたマップ記憶手段に記憶させるステップと、前記ウェブページ表示制御装置に構成された表示制御手段が、前記記号を付与された表示データを含む前記ウェブページ情報を予め用意された表示手段に表示させるステップと、前記ウェブページ表示制御装置に構成された信号受信手段が、前記ウェブページ情報が表示された際に前記入力手段に入力された記号を示す信号を受信するステップと、前記ウェブページ表示制御装置に構成された信号処理手段が、前記マップ記憶手段から、当該信号により示される記号に対応づけられたリンク情報を読み出し、当該リンク情報に対応するウェブページ情報を表示するためのウェブページデータを取得するように、前記通信手段を制御するステップとを含むことを特徴とするウェブページ表示制御方法をもって解決手段とする。
【００１７】
請求項６の本発明は、前記信号処理手段が、前記ウェブページ情報がスクロールされた際に当該スクロールの方向を示す情報を、前記ウェブページ表示制御装置に構成されたスクロール方向記憶手段に記憶させるステップと、前記順位付与手段が、順位を付与する際に、前記スクロール方向記憶手段から情報を読み出し、前記基準座標の位置が、当該情報により示されるスクロールの方向に移動するように、当該基準座標を変更するステップとを含む特徴とする請求項５記載のウェブページ表示制御方法をもって解決手段とする。
【００１８】
請求項７の本発明は、前記記号付与手段は、同一のリンク情報が複数ある場合は、最高の順位を付与されたリンク情報に付与される同一の記号を当該各リンク情報に付与し、各リンク情報と当該同一の記号を対応づけて、前記マップ記憶手段に記憶させることを特徴とする請求項５または６記載のウェブページ表示制御方法をもって解決手段とする。
【００１９】
請求項８の本発明は、前記ウェブページ表示制御装置は、前記表示手段における表示領域を区分してなる各部分表示領域が当該表示領域のどの部分を占めるかを示す部分表示領域位置情報を記憶した部分表示領域位置情報記憶手段を備え、前記記号記憶手段は、前記各部分表示領域識別情報に対応づけて記号が入力しやすい順に複数記憶されるものであり、前記ウェブページ表示制御方法は、前記ウェブページ表示制御装置に設けられた部分表示領域識別情報付与手段が、前記部分表示領域位置情報記憶手段から読み出した各部分表示領域位置情報に基づいて、前記リンク情報に対応する表示データの座標の位置がどの部分表示領域に含まれるかを求め、求められた部分表示領域を示す部分表示領域識別情報を当該リンク情報に付与するステップを含み、前記順位付与手段は、同一の部分表示領域識別情報を付与された複数のリンク情報のそれぞれに対し、対応する表示データの座標の位置が前記基準座標の位置に近いほど当該複数のリンク情報の中で高い順位となるように、順位を付与し、前記記号付与手段は、記号を付与しようとするリンク情報に付与された部分表示領域識別情報に対応づけられた記号を前記記号記憶手段から読み出し、当該リンク情報の順位が高いほど入力しやすい記号となるように前記リンク情報に対応する表示データに当該記号を付与するとともに、当該リンク情報と当該記号とを対応づけて、前記マップ記憶手段に記憶させることを特徴とする請求項５ないし７のいずれかに記載のウェブページ表示制御方法をもって解決手段とする。
【００２０】
請求項９の本発明は、請求項１ないし４のいずれかに記載のウェブページ表示制御装置をコンピュータで構成するためのコンピュータプログラムをもって解決手段とする。
【００２１】
請求項１０の本発明は、請求項９記載のコンピュータプログラムが格納されたコンピュータ読み取り可能な記録媒体をもって解決手段とする。
【発明の効果】
【００２２】
本発明によれば、リンク情報に対し、対応する表示データの座標の位置が基準座標の位置に近いほど高い順位となるように順位を付与し、リンク情報の順位が高いほど入力しやすい記号となるようにリンク情報に対応する表示データに記号を付与するとともに、リンク情報と記号とを対応づけて、マップ記憶手段に記憶させ、記号を付与された表示データを含むウェブページ情報を表示させ、入力された記号に対応づけられたリンク情報を読み出し、対応するウェブページ情報を表示するためのウェブページデータを取得するように通信手段を制御することで、基準座標の位置に近い表示データに対応するリンク先、つまり、要求される程度の高いリンク先のウェブページ情報を表示しやすくできる。
【発明を実施するための最良の形態】
【００２３】
以下、本発明の実施の形態を図面を参照して説明する。
【００２４】
［第１の実施の形態］
図１は、第１の実施の形態に係るウェブページ情報表示装置を使用したウェブページ表示システムの構成図である。
【００２５】
ウェブページ表示システムは、テレビジョン放送波を受信して映像を表示するテレビ装置１と、テレビ装置１を遠隔制御するリモートコントローラ（以下、「リモコン」という）２と、図示しないインターネットとの通信を行うためのモデム（変復調装置）３を備える。テレビ装置１は、モデム３を介して、インターネットに接続されている。
【００２６】
ウェブページ表示システムは、テレビ装置１の表示部にいわゆるウェブページ（以下、ウェブページ情報という）を表示する際、別のウェブページ情報を示すリンク情報に対応する表示データに記号を付与して表示し、その記号をリモコン２により入力することで、その記号に対応するウェブページ情報を表示させるものである。
【００２７】
ウェブページ表示システムでは、記号が表示される状態を記号入力オンモードといい、一方、記号が表示されない状態を記号入力オフモードという。
【００２８】
記号入力オンモードでは、上記のように、記号入力により別のウェブページ情報を表示させる動作だけが可能であり、一方、記号入力オフモードでは、かかる動作以外の動作、例えば、ウェブページ情報をスクロールさせる動作、以前に表示されたウェブページ情報を再表示させる動作などが可能である。
【００２９】
図２は、リモコン２の外観図である。
【００３０】
リモコン２は、電源をオンオフするための電源ボタン２１と、ウェブページ情報を表示させるためのネットボタン２２と、テレビ装置１に表示されたウェブページ情報をスクロールさせるための方向ボタン２３と、表示されたウェブページ情報内の表示データに記号を付与するための確定ボタン２４と、各種の数字入力に使用される数字ボタン２５と、チャネルを変えるためのチャネルボタン２６と、音量を変えるための音量ボタン２７を備える。方向ボタン２３は、上下左右の方向ごとに１個ずつ設けられている。数字ボタン２５は、１から１２までの各数字ごとに１個ずつ設けられている。チャネルボタン２６は、実際には、チャネルを送るためのボタンとチャネルを戻すためのボタンとからなる。音量ボタン２７は、実際には、音量を上げるボタンと音量を下げるボタンとからなる。
【００３１】
各ボタンには、特有の情報が割り当てられており、これを「文字」という。また、１以上の文字からなるものを記号という。
【００３２】
例えば、左方向の方向ボタン２３を押下し、続けて、右方向の方向ボタン２３を押下すると、左方向の方向ボタン２３に割り当てられた文字の後ろに右方向の方向ボタン２３に割り当てられた文字を続けてなる文字列すなわち記号がリモコン２内に生じる。本実施の形態では、このような記号であって、記号入力オンモードのときに生じたものだけを「記号」という。また、リモコン２でのこのような操作を「記号の入力」という。
【００３３】
図３は、テレビ装置１の構成図である。
【００３４】
テレビ装置１は、インターネットとの通信を行う通信部１０１と、ウェブページ情報が表示される表示部１０２と、ウェブページ情報から別のウェブページ情報を示すリンク情報を検索し、当該リンク情報に対応する表示データが表示される位置の座標を算出する座標算出部１０３と、当該リンク情報に対し、対応する表示データの座標の位置が、予め定められた基準座標の位置に近いほど高い順位となるように、順位を付与する順位付与部１０４と、リモコン２に入力される記号が入力しやすい順に複数記憶される記号記憶部１０５と、リンク情報と記号記憶部１０５に記憶された記号とが対応づけて記憶されるマップ記憶部１０６と、記号記憶部１０５から記号を読み出し、リンク情報の順位が高いほど入力しやすい記号となるようにリンク情報に対応する表示データに記号を付与するとともに、リンク情報と記号とを対応づけて、マップ記憶部１０６に記憶させる記号付与部１０７と、記号を付与された表示データを含むウェブページ情報を表示させるブラウザ部１０８と、ウェブページ情報が表示された際にリモコン２に入力された記号を示す信号を受信する信号受信部１０９と、マップ記憶部１０６から、信号により示される記号に対応づけられたリンク情報を読み出し、当該リンク情報に対応するウェブページ情報を表示するためのウェブページデータを取得するように、通信部１０１を制御する信号処理部１１０と、ウェブページ情報がスクロールされた際に当該スクロールの方向を示す情報が記憶されるスクロール方向記憶部１１１と、リモコン２に入力された記号により他のウェブページ情報を表示させることができる記号入力オンモードを示すモード情報または記号により他のウェブページ情報を表示させることができない記号入力オフモードを示すモード情報が記憶されるモード記憶部１１２を備える。モード記憶部１１２には、記号入力オフモード示すモード情報が初期値として記憶される。テレビ装置１では、表示部１０２を除く部分が、ウェブページ情報表示制御装置に該当する。
【００３５】
なお、スクロール方向記憶部１１１は、後述するように、スクロールの方向によって動作を変えるためのものであり、動作を変える必要がなければ、スクロール方向記憶部１１１は不要である。
【００３６】
図４は、記号記憶部１０５の内容を例示した図である。
【００３７】
記号記憶部１０５には、複数の記号が、入力しやすい順に記憶されている。記号は、１以上の文字からなるものである。記号の入力しやすさは、被験者実験などで評価される。  図４では、「←」が左方向の方向ボタン２３を押下したときに生じる文字または該文字からなる記号を示す。「↑」は上方向の方向ボタン２３を押下したときに生じる文字または該文字からなる記号を示す。「→」は右方向の方向ボタン２３を押下したときに生じる文字または該文字からなる記号を示す。「↓」は下方向の方向ボタン２３を押下したときに生じる文字または該文字からなる記号を示す。
【００３８】
記号は、短いほど入力しやすいわけではない。ここで、例えば、左方向の方向ボタン２３を押下し、続けて、右方向の方向ボタンを押下することを「←→」と表記し、他の操作についても同様に表記すると、「←→」や「→←」よりも「→→↑」や「↑↑→」などの方が入力しやすくしかも間違えずに入力できる場合がある。
【００３９】
図５は、マップ記憶部１０６の内容を例示した図である。
【００４０】
マップ記憶部１０６には、ウェブページ情報のhref属性に記憶された複数のＵＲＬのそれぞれに記号と表示データが対応づけて記憶されることとなる。ＵＲＬは、他のウェブページ情報を表示するためのものであり、リンク情報という。
【００４１】
（ウェブページ表示システムの動作）
図６は、第１の実施の形態に係るウェブページ表示システムの動作の流れを示すフローチャートである。
【００４２】
テレビ装置１では、信号受信部１０９が、リモコン２から信号が送出されるのを待機する。
【００４３】
一方、リモコン２は、ネットボタン２２が押下されると、該ボタンに対応する信号（赤外線や電磁波）を送出する。電磁波は、例えばBluetooth(登録商標)で使用されるものである。
【００４４】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００４５】
ここでは、ＹＥＳと判定されるので、信号処理部１１０は、予め初期設定されたウェブページ情報を表示するためのコマンドをブラウザ部１０８に送信する。
【００４６】
ブラウザ部１０８は、コマンドを受信し、このコマンドに予め対応づけて記憶してあったＵＲＬに対応するウェブサーバとＨＴＴＰを用いて通信してＨＴＭＬ(Hyper Text Markup Language)データを取得する（Ｓ３）。ブラウザ部１０８は、ＨＴＭＬデータをＤＯＭ(Document Object Model)ツリーに変換し、座標算出部１０３に出力する。なお、ＤＯＭツリーは、後にレンダリングされて表示されるものであるから、前述のウェブページ情報に該当する。また、ＨＴＭＬデータによりウェブページ情報が得られるので、ＨＴＭＬデータをウェブページデータという。
【００４７】
ＤＯＭツリーは、各表示データごとの要素からなる。各要素は、対応する表示データを有する。表示データは、要素のinnerHTML属性に記憶される。要素は、他の要素を親としたときに子である子の要素と、そうでない最上位の要素に分かれる。
【００４８】
最上位の要素は、ＤＯＭツリーのレンダリング結果（表示可能な全領域）における左上隅を基準とした座標（絶対座標ともいう）を有する。絶対座標は、横方向のｘ座標と縦方向のｙ座標を有し、それぞれ要素のabsoluteLeft属性、absoluteTop属性に記憶される。最上位の要素は、それぞれ０を記憶したoffsetLeft属性、offsetTop属性を有する。
【００４９】
一方、子の要素は、親の要素に対応する表示場所の左上隅を基準とした座標（相対座標ともいう）を有する。相対座標は、同様にｘ座標とｙ座標を有し、それぞれ要素のoffsetLeft属性、offsetTop属性に記憶される。
【００５０】
例えば、ＤＯＭツリー内の複数の要素のぞれぞれには、＜Ａ＞タグとリンク先のＵＲＬ、すなわちハイパーリンクが設定されている。
【００５１】
座標算出部１０３は、ＤＯＭツリーからハイパーリンクが設定されている要素を検索し、検索した各子の要素につき絶対座標を算出する（Ｓ５）。まずは要素から相対座標を読み出し、各ｘ座標、ｙ座標につき、読み出した要素から親を辿りながら、最上位の要素まで積算する。積算した結果が、子の要素の絶対座標の各ｘ座標、ｙ座標となる。座標算出部１０３は、各子の要素につき、absoluteLeft属性、absoluteTop属性を作成し、それぞれに絶対座標の各ｘ座標、ｙ座標を記憶させる。
【００５２】
例えば、要素ｙ１の親要素が要素ｙ２、要素ｙ２の親要素が最上位の要素ｙ３とし、要素ｙ３のabsoluteLeft属性、offsetLeft属性が０、要素ｙ２のoffsetLeft属性が５０、要素ｙ１のoffsetLeft属性が１２０とする。この場合、要素ｙ１のabsoluteLeft属性は１７０となる。
【００５３】
ブラウザ部１０８は、ＤＯＭツリーをレンダリングし、レンダリングの結果（以下、ウェブページＷＰという）の一部（部分ウェブページＷＰＤという）を表示部１０２に表示させる（Ｓ７）。
【００５４】
図７は、ウェブページＷＰにおける部分ウェブページＷＰＤの位置を示す図である。
【００５５】
図７および以下に示す同様の図には、表示データ（「リンクＡ」など）が示されているが、表示データは、単に区別できるように特段の意味を有しない「リンクＡ」のような表現で示されている。
【００５６】
図７は、ハイパーリンクが設定された各要素内の表示データを示している。図７は、部分ウェブページＷＰＤに含まれない表示データ「リンクＡ」、「リンクＨ」、「リンクＥ」、「リンクＦ」、「リンクＭ」、「リンクＮ」、「リンクＧ」が表示されず、一方、部分ウェブページＷＰＤに含まれる表示データ「リンクＢ」、「リンクＣ」、「リンクＤ」、「リンクＩ」、「リンクＪ」、「リンクＫ」、「リンクＬ」が表示されている様子を示している。
【００５７】
ステップＳ７の後、信号受信部１０９は、リモコン２から信号が送出されるのを待機する。
【００５８】
さて、リモコン２は、図７のような状態で、確定ボタン２４が押下されると、記号入力オンモードを示す信号を送出する。
【００５９】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００６０】
ここでは、ＮＯと判定されるので、信号処理部１１０は、記号入力オフモードを記号入力オンモードに変更すべきか否かを判定する（Ｓ１１）。具体的には、信号処理部１１０は、モード記憶部１１２からモード情報を読み出し、これが記号入力オフモードを示すモード情報であり、かつ、受信した信号が記号入力オンモードを示す信号であるか否かを判定する（Ｓ１１）。
【００６１】
ここでは、ＹＥＳと判定されるので、信号処理部１１０は、記号入力オフモードを記号入力オンモードに変更する（Ｓ１３）。具体的には、信号処理部１１０は、モード記憶部１１２において、記号入力オフモードを示すモード情報に代えて、記号入力オンモードを示すモード情報を記憶させる（Ｓ１３）。
【００６２】
次に、順位付与部１０４は、表示部１０２を上下に均等に二分するラインを構成する各点において同一のｙ座標（基準ｙ座標という）を求める。順位付与部１０４は、基準ｙ座標を、レンダリング結果（表示可能な全領域）における左上隅を基準として求める。
【００６３】
このような基準ｙ座標を求めるのは、ウェブページ情報は、要求される程度の高いリンク先のウェブページ情報に対応する表示データを基準ｙ座標の位置に配置することが多いためである。
【００６４】
次に、順位付与部１０４は、ＤＯＭツリーからＵＲＬ（リンク情報）、具体的には、そのＵＲＬを含む要素を検索する（Ｓ１５）。順位付与部１０４は、図７の例では、表示データ「リンクＢ」、「リンクＣ」、「リンクＤ」、「リンクＩ」、「リンクＪ」、「リンクＫ」、「リンクＬ」に対応する要素をＤＯＭツリーから検索する（Ｓ１５）。
【００６５】
次に、順位付与部１０４は、検索した要素のリンク情報に対し、対応する表示データの座標の位置が、基準ｙ座標の位置に近いほど高い順位となるように、順位を付与する（Ｓ１７）。具体的には、順位付与部１０４は、検索した要素につき、要素内のabsoluteTop属性に記憶されたｙ座標と基準ｙ座標との差を求め、差が高い順に高い順位を要素に付与する（Ｓ１７）。また、順位付与部１０４は、差が同じ要素については、要素内のabsoluteLeft属性に記憶されたx座標の小さい順に高い順位を要素に付与する（Ｓ１７）。
【００６６】
ここでは、各要素に対し、図７の表示データ「リンクＩ」、「リンクＪ」、「リンクＫ」、「リンクＣ」、「リンクＤ」、「リンクＢ」、「リンクＬ」の順で高い順位が付与されたこととする。
【００６７】
記号付与部１０７は、記号記憶部１０５から記号を読み出し、各要素内の表示データの末尾に付け加える（Ｓ１９）。記号付与部１０７は、付け加えられる記号が、要素の順位が高いほど入力しやすい記号となるようにする。これにより、ＤＯＭツリーは、記号を付与された表示データを含むものとなる。
【００６８】
また、記号付与部１０７は、図５に示すように、要素のhref属性に記憶されたＵＲＬと記号と表示データを対応づけて、マップ記憶部１０６に記憶させる（Ｓ１９）。  
ブラウザ部１０８は、記号を付与されたＤＯＭツリーをレンダリングし、レンダリングの結果（以下、ウェブページＷＰ’という）の一部（部分ウェブページＷＰＤ’という）を表示部１０２に表示させる（Ｓ７）。
【００６９】
図８は、ウェブページＷＰ’における部分ウェブページＷＰＤ’の位置を示す図である。
【００７０】
図８は、部分ウェブページＷＰＤ’に含まれる表示データ「リンクＢ」、「リンクＣ」、「リンクＤ」、「リンクＩ」、「リンクＪ」、「リンクＫ」、「リンクＬ」と、各表示データの末尾に、対応する記号が表示されている様子を示している。図８のラインＬは、表示部１０２を上下に均等に二分するラインであり、ラインＬに近い表示データであるほど、入力しやすい記号がその末尾に表示されている。
【００７１】
ステップＳ７の後、信号受信部１０９は、リモコン２から信号が送出されるのを待機する。
【００７２】
さて、リモコン２は、図８の状態で、表示された記号が入力されると、その記号を示す信号を送出する。
【００７３】
信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００７４】
ここでは、ＮＯと判定されるので、信号処理部１１０は、記号入力オフモードを記号入力オンモードに変更すべきか否かを判定する（Ｓ１１）。
【００７５】
ここでは、ＮＯと判定されるので、信号処理部１１０は、現在、記号入力オンモードであるか否かを判定する（Ｓ２１）。具体的には、信号処理部１１０は、読み出したモード情報が記号入力オンモードを示すモード情報であるか否かを判定する（Ｓ２１）。
【００７６】
ここでは、ＹＥＳと判定されるので、信号処理部１１０は、記号入力が行われたか否かを判定する（Ｓ２３）。具体的には、信号処理部１１０は、受信した信号が、マップ記憶部１０６に記憶された記号を示す信号であるか否かを判定する（Ｓ２３）。
【００７７】
ここでＮＯと判定された場合、信号受信部１０９は、リモコン２から信号が送出されるのを待機する。
【００７８】
ここでは、ＹＥＳと判定されるので、信号処理部１１０は、記号入力オンモードを記号入力オフモードに変更する（Ｓ２５）。具体的には、信号処理部１１０は、モード記憶部１１２において、記号入力オンモードを示すモード情報に代えて、記号入力オフモードを示すモード情報を記憶させる（Ｓ２５）。
【００７９】
次に、信号処理部１１０は、信号により示される記号に対応づけてマップ記憶部１０６に記憶されたＵＲＬ（リンク情報）を読み出し、このＵＲＬを含むコマンドをブラウザ部１０８に送信する（Ｓ２７）。
【００８０】
ブラウザ部１０８は、コマンドを受信し、このコマンド内のＵＲＬに対応するウェブサーバとＨＴＴＰを用いて通信してＨＴＭＬデータを取得する（Ｓ３）。
【００８１】
その後、前述の動作により、入力された記号に対応するウェブページが表示される（Ｓ７）。
【００８２】
さて、リモコン２は、図７のような状態で、いわゆる下方向のスクロールをさせるべく、下方向の方向ボタン２３が押下されると、下方向のスクロールを示す信号を送出する。  信号受信部１０９は、信号を受信し、同じ意味の信号を信号処理部１１０に送信する。信号処理部１１０は、信号を受信し、これがウェブページ情報を表示させるための信号か否かを判定する（Ｓ１）。
【００８３】
ここでは、ＮＯと判定されるので、信号処理部１１０は、記号入力オフモードを記号入力オンモードに変更すべきか否かを判定する（Ｓ１１）。
【００８４】
ここでは、ＮＯと判定されるので、信号処理部１１０は、現在、記号入力オンモードであるか否かを判定する（Ｓ２１）。
【００８５】
ここでは、ＮＯと判定されるので、受信した信号に応じた処理を行う（Ｓ３１）。ここでは、下方向のスクロール後の表示結果を得るための準備を行うが、この信号が音量ボタン２７の操作により生じたものなら、信号処理部１１０は、音量を変える処理を行う。    次に、信号処理部１１０は、受信した信号がスクロールを示す信号であるか否かを判定する（Ｓ３３）。ＮＯと判定された場合、信号受信部１０９は、リモコン２から信号が送出されるのを待機する。
【００８６】
ここでは、ＹＥＳと判定されるので、信号処理部１１０は、スクロールの方向を示す情報をスクロール方向記憶部１１１に記憶させる（Ｓ３５）。
【００８７】
なお、ステップＳ３３、Ｓ３５は、後述するように、スクロールの方向によって動作を変えるためのものであり、動作を変える必要がなければ行わなくてもよい。
【００８８】
次に、ブラウザ部１０８は、下方向のスクロール後の表示結果が得られるように、ＤＯＭツリーをレンダリングし、レンダリングの結果（ウェブページ）の一部（部分ウェブページ）を表示部１０２に表示させる（Ｓ７）。
【００８９】
ステップＳ７の後、信号受信部１０９は、リモコン２から信号が送出されるのを待機する。
【００９０】
この状態で、リモコン２の確定ボタン２４が押下されると、上記と同様に、ブラウザ部１０８は、ＤＯＭツリーをレンダリングし、レンダリングの結果（以下、ウェブページＷＰ’’という）の一部（部分ウェブページＷＰＤ’’という）を表示部１０２に表示させる（Ｓ７）。
【００９１】
図９は、ウェブページＷＰ’’における部分ウェブページＷＰＤ’’の位置を示す図である。
【００９２】
図９に示すように、ステップＳ３５での処理により、ステップＳ７では、下方向のスクロール後のウェブページ情報が表示される。
【００９３】
また、図９は、部分ウェブページＷＰＤ’’に含まれる表示データ「リンクＤ」、「リンクＩ」、「リンクＪ」、「リンクＫ」、「リンクＬ」、「リンクＥ」、「リンクＦ」、「リンクＭ」と、各表示データの末尾に、対応する記号が表示されている様子を示している。図９のラインＬ’は、表示部１０２を上下に均等に二分するラインであり、ラインＬ’に近い表示データであるほど、入力しやすい記号がその末尾に表示されている。
【００９４】
ステップＳ７の後、信号受信部１０９は、リモコン２から信号が送出されるのを待機する。
【００９５】
（変形例）
なお、基準ｙ座標は、表示部１０２を上下に均等に二分するラインを示すものであり、この基準ｙ座標を使用してＤＯＭツリーの要素に順位を付与したが、以下のようにしてもよい。
【００９６】
順位付与部１０４は、ＤＯＭツリーの要素に順位を付与する前に、スクロール方向記憶部１１１に記憶された情報を読み出す。順位付与部１０４は、読み出した情報により示されるスクロールの方向が上方向であるなら、基準ｙ座標から所定の値を減算し、順位付与は減算後の基準ｙ座標を使用して行う。順位付与部１０４は、読み出した情報により示されるスクロールの方向が下方向であるなら、基準ｙ座標に所定の値（例えば、上方向のときの値と同じ値）を加算し、順位付与は加算後の基準ｙ座標を使用して行う。
【００９７】
つまり、順位付与部は、基準ｙ座標の位置がスクロールの方向に移動するように基準ｙ座標を変更し、順位付与は、変更後の基準ｙ座標を使用して行うのである。
【００９８】
図１０は、減算後の基準ｙ座標を使用して順位付与を行った後のウェブページ情報の表示例を示す図である。
【００９９】
図１０のラインＬＵは、減算後の基準ｙ座標によって示されるラインであり、表示部１０２を上下に均等に二分するライン（図示せず）よりも、上方向つまりスクロールの方向にずれて位置している。そして、ラインＬＵに近い表示データであるほど、入力しやすい記号がその末尾に表示されている。
【０１００】
図１１は、加算後の基準ｙ座標を使用して順位付与を行った後のウェブページ情報の表示例を示す図である。
【０１０１】
図１１のラインＬＤは、加算後の基準ｙ座標によって示されるラインであり、表示部１０２を上下に均等に二分するライン（図示せず）よりも、下方向つまりスクロールの方向にずれて位置している。そして、ラインＬＤに近い表示データであるほど、入力しやすい記号がその末尾に表示されている。
【０１０２】
ラインＬＵ、ＬＤに近い表示データは、スクロール前には表示されていない場合があり、かかる表示データに対応するウェブページ情報を表示させたい場合にスクロールがなされるのであるから、かかる表示データに入力しやすい記号を付与することで、かかる所望のウェブページ情報を表示させやすくすることができる。
【０１０３】
また、記号付与部１０７は、同一のＵＲＬを有する要素が複数ある場合は、順位が最高のリンク情報に付与される同一の記号を各要素に付与し、各ＵＲＬと同一の記号を対応づけて、マップ記憶部１０６に記憶させてもよい。これにより、多くの記号が表示されてしまって、その選択の妨げになるのを防止することができる。
【０１０４】
また、図４では、方向ボタン２３を操作して得られる記号を記憶した記号記憶部１０５を示したが、図１２に示すように、記号記憶部１０５に記憶される記号は、数字ボタン２５を操作して得られる文字を１以上含むもの（数字）でもよい。入力しやすさは、被験者実験などで評価すればよい。
【０１０５】
数字は、同じ長さでも入力しやすさが異なる場合があり、例えば、「３０」や「９０」よりも「１１」や「２２」などの方が入力しやすくしかも間違えずに入力できる場合がある。
【０１０６】
こうして記号を数字にすることよって、図１３に示すように、表示データの末尾に、対応する記号（数字）が表示される。
【０１０７】
また、図１４に示すように、リモコン２は、方向ボタン２３、確定ボタン２４を備えないものであってもよい。この場合、「２」、「４」、「６」、「８」の数字ボタン２５を方向ボタン２３に代えて使用すればよい。また、「５」の数字ボタン２５を確定ボタン２４に代えて使用すればよい。
【０１０８】
以上のように、第１の実施の形態によれば、通信部１０１（通信手段）が、ウェブページ情報を表示するためのウェブページデータを取得し（Ｓ１）、座標算出部１０３（座標算出手段）が、ウェブページデータにより得られるウェブページ情報から別のウェブページ情報を示すリンク情報を検索し、当該リンク情報に対応する表示データが表示される位置の座標を算出し（Ｓ５）、順位付与部１０４（順位付与手段）が、リンク情報に対し、対応する表示データの座標の位置が、予め定められた基準座標の位置に近いほど高い順位となるように、順位を付与し（Ｓ１７）、記号付与部１０７（記号付与手段）が、記号記憶部１０５（記号記憶手段）から記号を読み出し、リンク情報の順位が高いほど入力しやすい記号となるようにリンク情報に対応する表示データに記号を付与するとともに、リンク情報と記号とを対応づけて、マップ記憶部１０６（マップ記憶手段）に記憶させ、ブラウザ部１０８（表示制御手段）が、記号を付与された表示データを含むウェブページ情報を表示部１０２（表示手段）に表示させ、信号受信部１０９（信号受信手段）が、ウェブページ情報が表示された際にリモコン２に入力された記号を示す信号を受信し、信号処理部１１０（信号処理手段）が、マップ記憶部１０６から、信号により示される記号に対応づけられたリンク情報を読み出し、当該リンク情報に対応するウェブページ情報を表示するためのウェブページデータを取得するように、通信部１０１を制御することで、基準座標の位置に近い表示データに対応するリンク先、つまり、要求される程度の高いリンク先のウェブページ情報を表示しやすくできる。
【０１０９】
また、第１の実施の形態の変形例で説明したように、順位付与部１０４が、順位を付与する際に、スクロール方向記憶部１１１から情報を読み出し、基準座標の位置が、当該情報により示されるスクロールの方向に移動するように、当該基準座標を変更することで、スクロールの方向に位置する表示データに対応するリンク先、つまり、要求される程度の高いリンク先のウェブページ情報を表示しやすくできる。
【０１１０】
また、第１の実施の形態の変形例で説明したように、記号付与部１０７が、同一のリンク情報（ＵＲＬ）を有する要素が複数ある場合は、順位が最高のリンク情報に付与される同一の記号を各リンク情報に付与し、各リンク情報と同一の記号を対応づけて、マップ記憶部１０６に記憶させることで、多くの記号が表示されてしまって、その選択の妨げになるのを防止することができる。
【０１１１】
［第２の実施の形態］
図１５は、第２の実施の形態に係るウェブページ情報表示装置を使用したウェブページ表示システムの構成図である。
【０１１２】
第２の実施の形態の構成は、第１の実施の形態の構成と類似しているので、同一要素には同一符号を付与し、重複説明を省略する。以下、第１の実施の形態との差異を中心に説明するが、説明を省略した技術については、第１の実施の形態と同様である。
【０１１３】
テレビ装置１Ａは、通信部１０１と、表示部１０２と、座標算出部１０３と、順位付与部１０４Ａと、記号記憶部１０５Ａと、マップ記憶部１０６と、記号付与部１０７Ａと、ブラウザ部１０８と、信号受信部１０９と、信号処理部１１０と、スクロール方向記憶部１１１と、モード記憶部１１２と、部分表示領域位置情報記憶部１１３と、部分表示領域識別情報付与部１１４とを備える。
【０１１４】
部分表示領域位置情報記憶部１１３には、表示部１０２における表示領域を区分してなる各部分表示領域が当該表示領域のどの部分を占めるかを示す部分表示領域位置情報が記憶されている。
【０１１５】
部分表示領域識別情報付与部１１４は、部分表示領域位置情報記憶部１１３から読み出した各部分表示領域位置情報に基づいて、リンク情報に対応する表示データの座標の位置がどの部分表示領域に含まれるかを求め、求められた部分表示領域を示す部分表示領域識別情報を当該リンク情報に付与するようになっている。
【０１１６】
図１６は、各部分表示領域が表示領域のどの部分を占めるかを示す図である。
【０１１７】
表示領域は、同図のように、部分表示領域識別情報Ａ１〜Ａ８のそれぞれにより示される部分表示領域に区分される。部分表示領域位置情報記憶部１１３には、各部分表示領域について、左上隅の座標と右下隅の座標とが、その部分表示領域を示す部分表示領域識別情報に対応づけて記憶されている。
【０１１８】
図１７は、記号記憶部１０５Ａの内容を例示した図である。
【０１１９】
記号記憶部１０５Ａでは、各部分表示領域識別情報Ａ１〜Ａ８に対応づけて、記号が入力しやすい順に複数記憶されている。同一の部分表示領域識別情報に対応づけられた複数の記号については、記号記憶部１０５に記憶された複数の記号と同様に、入力しやすい順に記憶されている。また、例えば、表示領域の左上部分を占める部分表示領域を示す部分表示領域識別情報Ａ１には、左向き矢印「←」と上向き矢印「↑」で構成した記号が対応づけられ、他の部分表示領域識別情報に対しても、同様の規則性を持つ記号が対応づけられている。
【０１２０】
図１５に戻り、順位付与部１０４Ａは、同一の部分表示領域識別情報を付与された複数のリンク情報のそれぞれに対し、対応する表示データの座標の位置が基準ｙ座標の位置に近いほど当該複数のリンク情報の中で高い順位となるように、順位を付与するようになっている。
【０１２１】
記号付与部１０７Ａは、記号を付与しようとするリンク情報に付与された部分表示領域識別情報に対応づけられた記号を記号記憶部１０５Ａから読み出し、当該リンク情報の順位が高いほど入力しやすい記号となるように前記リンク情報に対応する表示データに当該記号を付与するとともに、当該リンク情報と当該記号とを対応づけて、マップ記憶部１０６に記憶させるようになっている。
【０１２２】
（ウェブページ表示システムの動作）
以下、第２の実施の形態に係るウェブページ表示システムの動作を図６を参照して説明する。
【０１２３】
ステップＳ１からＳ５を経て、ステップＳ７では、ブラウザ部１０８が、ＤＯＭツリーをレンダリングし、レンダリングの結果の一部を図１８に例示するように表示部１０２に表示させる（Ｓ７）。
【０１２４】
図１８には、「野球」、「サッカー」、…、「北海道」、…、「○○、惜しくも助演女優賞逃がす」、…のような表示データが示されている。各表示データには、図示しないがハイパーリンクが設定されている。
【０１２５】
図６に戻り、ステップＳ１３で信号処理部１１０が、モード記憶部１１２に、記号入力オンモードを示すモード情報を記憶させると、次に、部分表示領域識別情報付与部１１４が、ＤＯＭツリーからＵＲＬ（リンク情報）、具体的には、そのＵＲＬを含む要素を検索する。
【０１２６】
次に、部分表示領域識別情報付与部１１４は、部分表示領域位置情報記憶部１１３から各部分表示領域位置情報を読み出し、各部分表示領域位置情報に基づいて、検索した要素内の表示データの座標の位置がどの部分表示領域に含まれるかを求める。
【０１２７】
次に、部分表示領域識別情報付与部１１４は、求められた部分表示領域を示す部分表示領域識別情報を当該リンク情報に付与する。このとき、部分表示領域識別情報付与部１１４は、第１の実施の形態で行われた方法と同様の方法で、表示データの座標を求め、その座標の位置がどの部分表示領域に含まれるかを求める。また、部分表示領域識別情報付与部１１４は、例えば、ある部分表示領域位置情報を構成する左上隅のｙ座標と右下隅のｙ座標の間に表示データのｙ座標が含まれ、かつ、左上隅のｘ座標と右下隅のｘ座標の間に表示データのｘ座標が含まれていれば、その座標の位置は、対応する部分表示領域に含まれると判定する。次に、部分表示領域識別情報付与部１１４は、求められた部分表示領域を示す部分表示領域識別情報を当該リンク情報に付与する。
【０１２８】
次に、順位付与部１０４Ａは、基準ｙ座標を求める。次に、順位付与部１０４Ａは、ＤＯＭツリーからＵＲＬ（リンク情報）、具体的には、そのＵＲＬを含む要素を検索する（Ｓ１５）。
【０１２９】
次に、順位付与部１０４Ａは、同一の部分表示領域識別情報を付与された複数のリンク情報のそれぞれに対し、第１の実施の形態で行われた方法と同様の方法で、対応する表示データの座標の位置が基準ｙ座標の位置に近いほど当該複数のリンク情報の中で高い順位となるように、順位を付与する（Ｓ１７）。
【０１３０】
次に、記号付与部１０７Ａが、記号を付与しようとするリンク情報に付与された部分表示領域識別情報に対応づけられた記号を記号記憶部１０５Ａから読み出し、当該リンク情報の順位が高いほど入力しやすい記号となるように前記リンク情報に対応する表示データに当該記号を付与するとともに、当該リンク情報と当該記号とを対応づけて、マップ記憶部１０６に記憶させる（Ｓ１９）。記号を付与する方法、マップ記憶部１０６に記憶させる方法は、第１の実施の形態で行われた方法と同様である。
【０１３１】
次に、ブラウザ部１０８は、記号を付与されたＤＯＭツリーをレンダリングし、レンダリングの結果の一部を図１９に例示するように表示部１０２に表示させる（Ｓ７）。
【０１３２】
図１９は、「野球」、「サッカー」、…、「北海道」、…、「○○、惜しくも助演女優賞逃がす」、…のような表示データとともに、対応する記号が表示されている様子を示している。
【０１３３】
図２０は、各記号と各部分表示領域とラインＬを示す図である。ラインＬは、表示部１０２を上下に均等に二分するラインである。
【０１３４】
例えば、部分表示領域識別情報Ａ８の部分表示領域にあっては、７個の表示データが表示されているが、ラインＬに近い表示データであるほど、入力しやすい記号がその末尾に表示されている。他の部分表示領域についても同様である。
【０１３５】
ここで、ある記号を入力すると、第１の実施の形態と同様に、入力された記号に対応するウェブページが表示される。
【０１３６】
以上のように、第２の実施の形態によれば、表示部１０２（表示手段）における表示領域を区分してなる各部分表示領域が当該表示領域のどの部分を占めるかを示す部分表示領域位置情報を記憶した部分表示領域位置情報記憶部１１３（部分表示領域位置情報記憶手段）と、部分表示領域位置情報記憶手段から読み出した各部分表示領域位置情報に基づいて、前記リンク情報に対応する表示データの座標の位置がどの部分表示領域に含まれるかを求め、求められた部分表示領域を示す部分表示領域識別情報を当該リンク情報に付与する部分表示領域識別情報付与部１１４（部分表示領域識別情報付与手段）とを備え、記号記憶部１０５Ａ（記号記憶手段）は、各部分表示領域識別情報に対応づけて記号が入力しやすい順に複数記憶されるものであり、順位付与部１０４Ａ（順位付与手段）は、同一の部分表示領域識別情報を付与された複数のリンク情報のそれぞれに対し、対応する表示データの座標の位置が前記基準座標の位置に近いほど当該複数のリンク情報の中で高い順位となるように、順位を付与するものであり、記号付与部１０７Ａ（記号付与手段）は、記号を付与しようとするリンク情報に付与された部分表示領域識別情報に対応づけられた記号を前記記号記憶手段から読み出し、当該リンク情報の順位が高いほど入力しやすい記号となるように前記リンク情報に対応する表示データに当該記号を付与するとともに、当該リンク情報と当該記号とを対応づけて、マップ記憶部１０６（マップ記憶手段）に記憶させるものであるので、部分表示領域ごとに、基準座標の位置に近い表示データに対応するリンク先、つまり、要求される程度の高いリンク先のウェブページ情報を表示しやすくできる。
【０１３７】
なお、第１の実施の形態の変形例と同様に、順位付与部１０４が、順位を付与する際に、スクロール方向記憶部１１１から情報を読み出し、基準座標の位置が、当該情報により示されるスクロールの方向に移動するように、当該基準座標を変更することで、スクロールの方向に位置する表示データに対応するリンク先、つまり、要求される程度の高いリンク先のウェブページ情報を表示しやすくできる。
【０１３８】
また、第１の実施の形態の変形例と同様に、記号付与部１０７が、同一のリンク情報（ＵＲＬ）を有する要素が複数ある場合は、順位が最高のリンク情報に付与される同一の記号を各リンク情報に付与し、各リンク情報と同一の記号を対応づけて、マップ記憶部１０６に記憶させることで、多くの記号が表示されてしまって、その選択の妨げになるのを防止することができる。
【０１３９】
また、図１７に示したように、記号記憶部１０５Ａにあっては、例えば、部分表示領域識別情報Ａ１には、左向き矢印「←」と上向き矢印「↑」で構成した記号が対応づけられ、他の部分表示領域識別情報に対しても、同様の規則性を持つ記号が対応づけられているので、入力すべき記号が直感的に把握しやすいという効果を奏する。
【０１４０】
なお、図２１に示すように、表示領域は、さらに細かく区分してもよい。また、この場合であっても、記号記憶部１０５Ａにおいては、同様に、部分表示領域の位置に応じた記号を部分表示領域識別情報に対応づけることで、入力すべき記号が直感的に把握しやすいという効果を奏する。
【０１４１】
なお、第１および第２の実施の形態に係るウェブページ情報表示装置は、専用のハードウェアで構成してもよいし、演算処理装置、記憶装置、メモリ等を備えたコンピュータで構成し、各部の処理をコンピュータプログラムによって実行させてもよい。コンピュータプログラムは、記憶装置などに記憶され、これを演算処理装置が逐次読み出して実行することにより、各部の処理が可能となる。
【０１４２】
コンピュータプログラムは、ＣＤ−ＲＯＭ、磁気ディスク、光ディスク、半導体メモリ等のコンピュータ読み取り可能な記録媒体に格納してもよい。また、コンピュータプログラムは、インターネットなどの介して、他者に提供してもよい。
【図面の簡単な説明】
【０１４３】
【図１】第１の実施の形態に係るウェブページ情報表示装置を使用したウェブページ表示システムの構成図である。
【図２】リモコン２の外観図である。
【図３】テレビ装置１の構成図である。
【図４】記号記憶部１０５の内容を例示した図である。
【図５】マップ記憶部１０６の内容を例示した図である。
【図６】ウェブページ表示システムの動作の流れを示すフローチャートである。
【図７】ウェブページ情報の表示例を示す図である。
【図８】記号を含むウェブページ情報の表示例を示す図である。
【図９】スクロール後の記号を含むウェブページ情報の表示例を示す図である。
【図１０】減算後の基準ｙ座標を使用して順位付与を行った後のウェブページ情報の表示例を示す図である。
【図１１】加算後の基準ｙ座標を使用して順位付与を行った後のウェブページ情報の表示例を示す図である。
【図１２】記号を数字としたときの記号記憶部１０５の内容を例示した図である。
【図１３】記号を数字としたときのウェブページ情報の表示例を示す図である。
【図１４】ボタン数の少ないリモコン２の外観図である。
【図１５】第２の実施の形態に係るウェブページ情報表示装置を使用したウェブページ表示システムの構成図である。
【図１６】各部分表示領域が表示領域のどの部分を占めるかを示す図である。
【図１７】記号記憶部１０５Ａの内容を例示した図である。
【図１８】ウェブページ情報の表示例を示す図である。
【図１９】記号を含むウェブページ情報の表示例を示す図である。
【図２０】各記号と各部分表示領域とラインＬを示す図である。
【図２１】各部分表示領域が表示領域のどの部分を占めるかを示す図である。
【図２２】従来におけるウェブページ情報の表示例を示す図である。
【符号の説明】
【０１４４】
１、１Ａ…テレビ装置
２…リモコン
３…モデム
２１…電源ボタン
２２…ネットボタン
２３…方向ボタン
２４…確定ボタン
２５…数字ボタン
２６…チャネルボタン
２７…音量ボタン
１０１…通信部
１０２…表示部
１０３…座標算出部
１０４、１０４Ａ…順位付与部
１０５、１０５Ａ…記号記憶部
１０６…マップ記憶部
１０７、１０７Ａ…記号付与部
１０８…ブラウザ部
１０９…信号受信部
１１０…信号処理部
１１１…スクロール方向記憶部
１１２…モード記憶部
１１３…部分表示領域位置情報記憶部
１１４…部分表示領域識別情報付与部
【図１】
0004926125.tif 000002
【図２】
0004926125.tif 000003
【図３】
0004926125.tif 000004
【図４】
0004926125.tif 000005
【図５】
0004926125.tif 000006
【図６】
0004926125.tif 000007
【図７】
0004926125.tif 000008
【図８】
0004926125.tif 000009
【図９】
0004926125.tif 000010
【図１０】
0004926125.tif 000011
【図１１】
0004926125.tif 000012
【図１２】
0004926125.tif 000013
【図１３】
0004926125.tif 000014
【図１４】
0004926125.tif 000015
【図１５】
0004926125.tif 000016
【図１６】
0004926125.tif 000017
【図１７】
0004926125.tif 000018
【図１８】
0004926125.tif 000019
【図１９】
0004926125.tif 000020
【図２０】
0004926125.tif 000021
【図２１】
0004926125.tif 000022
【図２２】
0004926125.tif 000023